(57)【要約】【課題】  入金者が利用する入金機を予め予約することで、入金機の前で待つことなく、安全に入金機を利用できる入金機予約システムを提供する。【解決手段】  複数の入金機と、予約端末と、管理センタサーバとが通信ネットワークを介して接続された入金機予約システムであって、予約端末に、利用者が入金予定金額を入力するための入力手段と、入金予定金額のデータを管理センタサーバに送信する送信手段と、管理センタサーバから予約結果のデータを受信する受信手段と、予約結果を表示する表示手段とを備え、管理センタサーバに、予約端末から送信された利用者の入金予定金額及び所在地を記憶する利用者管理手段と、各入金機毎の所在地と、各入金機毎の現金収容状況を記憶する入金機管理手段と、予約端末から受信した入金予定金額のデータを受信すると、利用者が利用する入金機を決定する決定手段と、決定した入金機情報を予約端末に送信する送信手段とを備える。【選択図】図１
2006059269.tif 000002
【特許請求の範囲】
【請求項１】
利用者が利用する複数の入金機と、利用者が予約を行う予約端末と、管理者が管理する管理センタサーバとが通信ネットワークで接続された入金機を予約する入金機予約システムであって、
（ａ）前記予約端末は、利用者が入金予定金額を入力するための入力手段と、前記入金予定金額のデータを管理センタサーバに送信する送信手段と、前記管理センタサーバから予約結果のデータを受信する受信手段と、前記予約結果を表示する表示手段とを備え、
（ｂ）前記管理センタサーバは、前記予約端末から通信ネットワークを介して送信された利用者の入金予定金額及び所在地を記憶する利用者管理手段と、各入金機毎の所在地と、各入金機毎の現金収容状況を記憶する入金機管理手段と、前記予約端末から入金予定金額のデータを受信すると、利用者が利用する入金機を決定する決定手段と、決定した入金機情報を前記通信ネットワークを介して前記予約端末に送信する送信手段とを備えたことを特徴とする入金機予約システム。
【請求項２】
前記予約端末は、さらに、利用希望時刻を入力するための入力手段と、前記利用希望時刻のデータを管理センタサーバに送信する送信手段とを備え、
前記管理センタサーバは、さらに、前記入金機の予約状況を記憶する入金機管理手段と、前記予約端末から受信した前記利用希望時刻のデータを受信すると利用者が使用する入金機を決定する決定手段とを備えたことを特徴とする、請求項１に記載の入金機予約システム。
【請求項３】
前記入金機は、前記管理センタサーバから前記入金機情報を受信し、受信した入金機情報に基づいて、利用者に利用を許可する制御手段を備えたことを特徴とする、請求項１または２のいずれか１項に記載の入金機予約システム。
【請求項４】
前記入金機情報は、照合情報を含むことを特徴とする、請求項１から３のいずれか１項に記載の入金機予約システム。
【請求項５】
前記決定手段は、前記予約端末から受信した前記入金予定金額が、前記入金機の収容可能金額から、既に前記入金機が収容している収容金額と既に入金予約されている入金予定金額との加算金額、を減算した減算金額より少ない場合に入金予約が可能となる制御手段を備えたことを特徴とする、請求項１から４のいずれか１項に記載の入金機予約システム。
【請求項６】
前記決定手段は、さらに、入金予約が可能な前記入金機のうち、利用者の最寄の入金機を指定する制御手段を備えたことを特徴とする、請求項１から５のいずれか１項に記載の入金機予約システム。
【請求項７】
前記入金機は、入金機ブースに収容され、管理センタサーバから受信した前記照合情報と、利用者が入力する前記照合情報とを比較して、一致する場合に入金機ブースの出入口扉を開放する制御手段を備えたことを特徴とする、請求項４に記載の入金機予約システム。
【請求項８】
利用者が利用する複数の入金機と、利用者が予約を行う予約端末と、管理者が管理する管理センタサーバとが通信ネットワークで接続された入金機を予約する入金機予約システムに使用される管理センタサーバであって、
前記予約端末から前記通信ネットワークを介して送信された利用者の入金予定金額及び所在地を記憶する利用者管理手段と、各入金機毎の所在地と各入金機毎の現金収容状況を記憶する入金機管理手段と、決定した入金機情報を前記通信ネットワークを介して前記予約端末に送信する送信手段とを備えたことを特徴とする管理センタサーバ。
【発明の詳細な説明】
【技術分野】
【０００１】
本発明は、商店等の事業主や経理に従事する者等（以下、入金者という）が例えば商店等の売上金を入金機に入金する時、入金機の利用予約をすることができる入金機予約システムおよび管理センタサーバに関する。
【背景技術】
【０００２】
入金者は、その日の売上金を、銀行、信用金庫、信用組合等の金融機関の本支店に設置された夜間金庫に預け入れる。夜間金庫に預け入れられた売上金は、その金融機関の職員が翌日に回収し、入金者が指定した預金口座に入金される。
しかしながら、昨今の金融機関の統廃合や夜間金庫の運用コストが高い等の理由で夜間金庫が閉鎖されつつある。また、店舗内に入金機を備え、売上金を入金機に投入して計数し、計数した入金金額を通信回線にて管理センタに送信して管理センタにて入金者が指定した預金口座に振り込み処理を行い、入金機に入金された現金は、後日、警備会社により回収されるようにした入金システムが提案されている。
しかし、入金機を各店舗に１つずつ配置するようにするとコストが高くなり、特に小規模店舗では利用することが困難である。
そこで、入金機を商店街に１ないし複数台設置して、複数の店舗で共用することが考えられる。
【０００３】
上述した入金機は複数の商店等の入金者で共用するため、入金者が入金機を利用しようとしたときに、先に入金をしようとしている入金者がいる場合には、後の入金者が入金機ブースの前で待つことになる。この場合、入金者は多額の現金を持参しているので、強盗に襲われる危険性が高くなってしまう。
【０００４】
そこで、従来技術として、特許文献１は携帯端末からイベント会場を予約するイベント会場運用管理システムを開示している。携帯端末から利用しようとしている施設（イベント会場）を予約することで、上述の危険性が回避される。また、特許文献２は、端末を使用して、利用しようとしている時間帯から空き施設（会議室）を予約できる予約システムを開示している。さらに、特許文献３は、携帯端末から施設（基地局）を予約し、サーバから受信した開錠バーコードを受信することで、利用者が施設に入場できる開錠システムを開示している。
【０００５】
しかし、上述のように入金者（利用者）が端末を使用し、利用時間帯だけを予約しても、入金機を利用できない場合がある。具体的には、図１３を参照しながら説明する。
【０００６】
図１３は、入金機及び入金機内部に備えられた現金収容部の構成を示す構成図である。
図１３（ａ）は、入金機の構造を模式的に示す斜視図である。図１３（ｂ）は現金収容部の内部を示す正面図である。
図１３（ａ）に示すように、入金機４は、入力操作部２８、現金収容部（現金カセット）２９、紙幣入金部１７、硬貨入金部１８を備えている。図１３（ｂ）に示すように、現金収容部（現金カセット）２９は、紙幣３０を蓄積している。
【０００７】
入金機４にセットされた現金収容部（現金カセット）２９が紙幣３０でフル（満杯）になっていると、入金者はその入金機を利用できない。さらに、現金収容部２９が紙幣で満杯となっていなくても、ニアフル（紙幣や硬貨で満杯に近い状態）の場合で、かつ、入金者が入金を予定している金額が、現金収容部２９の収容可能な金額より多い場合にも、入金者は入金機２９を利用できない可能性がある。そのため、入金者は多額の現金を持参しながら、別の入金機へと移動しなければならず、上述と同様に、強盗に襲われる危険性は回避できなくなる。
【０００８】
【特許文献１】特開平５−３２４６５７号公報
【特許文献２】特開平６−４５３８号公報
【特許文献３】特開２００３−９０１５５号公報
【発明の開示】
【発明が解決しようとする課題】
【０００９】
そこで本発明は、上述した課題を解決するために、入金者が予め利用する入金機の利用を予約することで、入金機の前で待つことなく、安全に入金機を利用することができる入金機予約システムを提供することを目的とする。
【課題を解決するための手段】
【００１０】
本発明の入金機予約システムの第１の態様は、利用者が利用する複数の入金機と、利用者が予約を行う予約端末と、管理者が管理する管理センタサーバとが通信ネットワークで接続された入金機を予約する入金機予約システムであって、予約端末は、利用者が入金予定金額を入力するための入力手段と、入金予定金額のデータを管理センタサーバに送信する送信手段と、管理センタサーバから予約結果のデータを受信する受信手段と、予約結果を表示する表示手段とを備え、管理センタサーバは、予約端末から通信ネットワークを介して送信された利用者の入金予定金額及び所在地を記憶する利用者管理手段と、各入金機毎の所在地と、各入金機毎の現金収容状況を記憶する入金機管理手段と、予約端末から入金予定金額のデータを受信すると、利用者が利用する入金機を決定する決定手段と、決定した入金機情報を通信ネットワークを介して予約端末に送信する送信手段とを備えたことを特徴とする入金機予約システムである。
【００１１】
本発明の入金機予約システムの第２の態様は、予約端末が、さらに、利用希望時刻を入力するための入力手段と、利用希望時刻のデータを管理センタサーバに送信する送信手段とを備え、管理センタサーバが、さらに、入金機の予約状況を記憶する入金機管理手段と、予約端末から受信した利用希望時刻のデータを受信すると利用者が使用する入金機を決定する決定手段とを備えたことを特徴とする入金機予約システムである。
【００１２】
本発明の入金機予約システムの第３の態様は、入金機が、管理センタサーバから入金機情報を受信し、受信した入金機情報に基づいて、利用者に利用を許可する制御手段を備えたことを特徴とする入金機予約システムである。
【００１３】
本発明の入金機予約システムの第４の態様は、入金機情報が、照合情報を含むことを特徴とする入金機予約システムである。
【００１４】
本発明の入金機予約システムの第５の態様は、決定手段が、予約端末から受信した入金予定金額が、入金機の収容可能金額から、既に入金機が収容している収容金額と既に入金予約されている入金予定金額との加算金額、を減算した減算金額より少ない場合に入金予約が可能となる制御手段を備えたことを特徴とする入金機予約システムである。
【００１５】
本発明の入金機予約システムの第６の態様は、決定手段が、さらに、入金予約が可能な入金機のうち、利用者の最寄の入金機を指定する制御手段を備えたことを特徴とする入金機予約システム。
【００１６】
本発明の入金機予約システムの第７の態様は、入金機が、入金機ブースに収容され、管理センタサーバから受信した照合情報と、利用者が入力する照合情報とを比較して、一致する場合に入金機ブースの出入口扉を開放する制御手段を備えたことを特徴とする入金機予約システムである。
【００１７】
本発明の管理センタサーバの第１の態様は、利用者が利用する複数の入金機と、利用者が予約を行う予約端末と、管理者が管理する管理センタサーバとが通信ネットワークで接続された入金機を予約する入金機予約システムに使用される管理センタサーバであって、予約端末から通信ネットワークを介して送信された利用者の入金予定金額及び所在地を記憶する利用者管理手段と、各入金機毎の所在地と各入金機毎の現金収容状況を記憶する入金機管理手段と、決定した入金機情報を通信ネットワークを介して予約端末に送信する送信手段とを備えたことを特徴とする管理センタサーバである。
【発明の効果】
【００１８】
本発明の入金機予約システムにより、入金者は、入金機の現金カセットが満杯となっていない入金機を予約でき、指定した時間帯に売上金を預け入れることが可能となる。そのため、入金者は入金機ブースの前で入金するために並ぶ必要がなく、強盗に襲われる可能性も回避できる。
【発明を実施するための最良の形態】
【００１９】
以下に、本発明の実施形態を、図面を参照しながら詳細に説明する。
【００２０】
図１は、本発明に係る入金機予約システムを示す概念図である。
図１に示すように、本発明に係る入金機予約システムは予約端末１、管理センタサーバ２、複数の入金機ブース５を有している。さらに、複数の入金機ブース５の中には、それぞれ入金機４−１から４−３が設置されており、入金機４−１から４−３は、ケーブル等の有線８で入金機ブース５に接続されている。そして、入金機４−１から４−３は、入金機ブース５の出入口扉の開閉を制御する。また、予約端末１、管理センタサーバ２、入金機４−１から４−３は、電話線等の有線で通信ネットワーク３を介して接続されている。
【００２１】
まず、入金者は予約端末１を使用し、ユーザＩＤ、入金予定金額、利用希望時刻を入力する。入力されたユーザＩＤ、入金予定金額、利用希望時刻は、入金予約データとして予約端末１に記憶される。また、予約端末１には、その予約端末が設置されている住所等の所在地データが記憶されている。入金者がユーザＩＤ、入金予定金額、利用希望時刻の入力を完了すると、記憶された入金予約データと所在地データは通信ネットワーク３を介して管理センタサーバ２に送信される。
【００２２】
管理センタサーバ２は、予約端末１から送信された入金予約データ及び所在地データを受信し、利用者情報として記憶する。管理センタサーバ２は、受信した入金予約データと、所在地データとを予め記憶されている複数の入金機４−１から４−３の現金収容状況及び入金機の設置場所から、利用可能な入金機のデータを予約端末１に送信する。
【００２３】
予約端末１は、管理センタサーバ２から送信された利用可能な入金機のデータを受信する。予約端末１は、入金機のデータを予約端末１の表示画面に表示する。入金者は、表示画面に表示された利用可能な入金機を選択し、入力する。選択された入金機は、入金機データとして予約端末１に記憶され、管理センタサーバ２に送信される。
【００２４】
管理センタサーバ２は、予約端末１から送信された入金機のデータを受信し、記憶する。さらに、管理センタサーバ２は、記憶されているユーザＩＤ、入金予定金額、利用希望時刻、利用希望入金機、及び管理センタサーバ２が設定したパスワード等の照合情報を予約端末１に送信する。また、入金者が利用希望をした入金機に対して、ユーザＩＤ、入金予定金額、利用希望時刻、照合情報のデータを送信する。
【００２５】
予約端末１は、管理センタサーバ２から送信されたユーザＩＤ、入金予定金額、利用希望時刻、利用希望入金機、照合情報のデータを受信し、画面表示する。入金者は、画面表示されたユーザＩＤ、入金予定金額、利用希望時刻、利用希望入金機、照合情報をもって、予約できたことを確認できる。
【００２６】
一方、管理センタサーバ２から送信されたユーザＩＤ、入金予定金額、利用希望時刻、照合情報のデータは、入金者が利用希望をした入金機で受信する。例えば、図１に示す入金機の中で、利用可能な入金機は４−１と４−３であり、その中で、入金者が４−３を選択した場合、管理センタサーバ２は、ユーザＩＤ、入金予定金額、利用希望時刻、照合情報のデータを入金機４−３に送信する。
【００２７】
入金機４−３は、管理センタサーバ２から送信されたユーザＩＤ、入金予定金額、利用希望時刻、照合情報のデータを記憶する。
【００２８】
入金者は予約端末１に記憶された照合情報を出力し、出力結果を持参し、利用希望をした入金機ブースに移動する。入金者は、入金機ブースの照合情報入力機６の前で、持参した出力結果の照合情報を照合情報入力機６に入力する。予約端末１の照合情報と入金機に記憶されている照合情報とが一致した場合、入金機ブース５の出入口扉は開き、入金者は入金機ブースの内部に入り、入金操作を行う。
【００２９】
一方で、入金者が持参した出力結果の照合情報と入金機に記憶されている照合情報とが一致しなかった場合、入金機ブース５の出入口扉は開かず、入金機ブースの表示部７が入金機予約をしていない旨、または照合情報不一致の旨を表示する。
【００３０】
続いて、予約端末１の表示画面について図２を参照しながら説明する。
【００３１】
図２は、予約端末１の表示画面を示す図である。図２（ａ）は、入金機予約システムを起動する際に表示される入力画面の図である。図２（ｂ）は、入金予定金額及び利用希望時刻を入力する入力画面の図である。図２（ｃ）は、管理センタサーバ２から送信された利用可能な入金機４が表示され、それに基づき入金者が予約を行う予約画面の図である。図２（ｄ）は、入金者が予約した内容を確認できる確認画面の図である。
【００３２】
まず、入金者は図２（ａ）に示す入力画面にユーザＩＤを入力する。入金者が入力を完了すると、表示画面は図２（ｂ）に切り替わる。さらに、入金者は図２（ｂ）に示す入力画面に入金予定金額及び利用希望時刻を入力する。入金者は、入金予定金額、利用希望時刻の入力を完了すると、管理センタサーバ２は図２（ｃ）に示す予約画面を送信し、予約端末１は予約画面を表示する。
【００３３】
予約画面は、入金者が入力したユーザＩＤ、入金予定金額、利用希望時刻から管理センタサーバ２が決定した利用可能な入金機４の中で、最寄の入金機４−３、次に近い入金機４−１、その他使用可能な入金機４を表示する。入金者は、表示された入金機４の中で、希望する入金機４を選択することができる。そして、入金者は、表示された入金機４の中で、１つの入金機４−３を選択し、入金機４−３の予約を行う。
【００３４】
入金者が入金機４−３の予約を終えると、管理センタサーバ２は図２（ｄ）に示す確認画面を送信し、予約端末１が確認画面を表示する。確認画面は、ユーザＩＤ、入金予定金額、利用希望時刻、利用希望入金機、パスワードが表示される。入金者は、確認画面を見ることによって、入金機４−３の予約を確認できる。
【００３５】
さらに、入金者の予約端末１操作について図３を参照しながら詳細に説明する。
【００３６】
図３は、入金者の予約端末１操作を示すフローチャートである。
まず、入金者は予約端末１の予約画面を起動し、ユーザＩＤを入力する（Ｓ１０１）。入金者がユーザＩＤを入力完了すると、次に、入力希望金額及び希望利用時間を入力する（Ｓ１０２）。
【００３７】
入金者は、ユーザＩＤ、入力希望金額、希望利用時間の入力を完了すると、管理センタサーバ２にユーザＩＤ、入力希望金額、希望利用時間、所在地のデータを送信する（Ｓ１０３）。入金者がユーザＩＤ、入力希望金額、希望利用時間のデータの送信をすると、管理センタサーバ２から予約可能な入金機４のデータが予約端末１に送信され、予約端末１は予約可能入金機のデータを受信する（Ｓ１０４）。
【００３８】
入金者は、予約端末１が受信した予約可能な入金機４を参照し、予約を行うか否かを判断する（Ｓ１０５）。入金者が利用を希望する入金機４が表示されていない場合、入金者は入金機４の予約を行わない（Ｓ１０６：ＮＯ）。一方、入金者が利用を希望する入金機４が表示されている場合、入金者は利用を希望する入金機４の予約を行う（Ｓ１０５：ＹＥＳ）。
【００３９】
入金者が、利用を希望する入金機４の予約をすると、予約する入金機４のデータを管理センタサーバ２に送信する（Ｓ１０６）。管理センタサーバ２は、予約する入金機４のデータを受信すると、ユーザＩＤ、入金予定金額、利用希望時刻、利用希望入金機、照合情報を予約端末１に送信する。そして、予約端末１は、管理センタサーバ２からユーザＩＤ、入金予定金額、利用希望時刻、利用希望入金機、照合情報を受信する（Ｓ１０７）。
【００４０】
次に、管理センタサーバ２について図４から図７を参照しながら説明する。
【００４１】
図４は、管理センタサーバ２の構成を示すブロック図である。
図４に示すように、管理センタサーバ２は通信インタフェース９、利用者情報記憶部１０、制御部１１、入金機管理部１２を備えている。さらに、入金機管理部１２は、現金収容状況記憶部１３、入金機情報記憶部１４、入金機制御部３２を備えている。
【００４２】
図５は、利用者情報記憶部１０で使用するテーブルの構成図である。図５で示すように、利用者情報記憶部１０は、ユーザＩＤごとに、入金予定金額、利用希望時刻、所在地、利用希望入金機４、照合情報が記憶される。図６は、現金収容状況記憶部１３で使用するテーブルの構成図である。図６で示すように、現金収容状況記憶部１３には、入金機４ごとに収容可能金額が記憶される。図７は、入金機情報記憶部１４で使用するテーブルの構成図である。図７で示すように、入金機情報記憶部１４には、入金機４ごとに住所等の入金機所在地が記憶される。
【００４３】
まず、予約端末１から送信されたユーザＩＤ、入金予定金額、利用希望時刻、所在地のデータは、通信インタフェース９を介して、図４で示す利用者情報記憶部１０に、図５で示すように記憶される。次に制御部１１は、利用者情報記憶部１０に記憶された入金予定金額を基に、図４で示す現金収容状況記憶部１３から図６で示す入金機４の収容可能額情報を抽出する。なお、収容可能額は、現金カセット２９の最大収容可能額から、既に入金機４が収容している収容額と既に入金予約されている入金予定額を加算した加算額、を減算した額である。さらに、制御部１１は、現金収容状況記憶部１３から抽出した入金機４のデータを基に、図４で示す入金機情報記憶部１４から図７で示す入金機所在地のデータを抽出する。
【００４４】
入金機情報記憶部１４から抽出した入金機所在地のデータと、利用者情報記憶部１０に記憶されている所在地のデータとを比較し、比較した結果、距離的に最も近い所在地から並べ替え（ソート）をする。制御部１１は、並べ替えられた入金機データを通信インタフェース９を介して予約端末１に送信する。なお、上述した並べ替えは、入金者が入金機ブース５に到着する時間が最も早くなる並べ替えや、その入金機４までの治安状況を加味した並べ替え等があってもよい。
【００４５】
入金者は、予約端末１に表示された利用可能な入金機の中で、利用を希望する入金機４を選択し、管理センタサーバ２に送信する。
【００４６】
管理センタサーバ２は、予約端末１から送信された、入金者が利用を希望する入金機４のデータを受信する。入金機４のデータは、通信インタフェース９を介して、図４で示す利用者情報記憶部１０に記憶される。なお、利用者情報記憶部１０には、図５で示す利用希望入金機の項目に入金機４のデータが記憶される。
【００４７】
制御部１１は、図５に示す利用者情報記憶部１０が使用するテーブルにユーザＩＤ、入金予定金額、利用希望時刻、所在地、利用希望入金機のデータが登録されると、照合情報を設定し、利用者情報記憶部１０が使用するテーブルに登録する。さらに、利用者情報記憶部１０に登録されたユーザＩＤ、入金予定金額、利用希望時刻、利用希望入金機、照合情報のデータを、通信インタフェース９を介して予約端末１に送信する。また、利用者情報記憶部１０に登録されたユーザＩＤ、入金予定金額、利用希望時刻、照合情報を利用者情報記憶部１０に登録された入金機４に送信する。
【００４８】
なお、制御部１１は、図示しないＣＰＵ(Central Processing Unit)あるいはＲＡＭ(Randam Access Memory)、ＲＯＭ(Read Only Memory)を備え、この制御部１１に格納されたプログラムを実行することにより、管理センタサーバ２の各部を統括的に制御する。
【００４９】
さらに、管理センタサーバ２の動作について図８を参照しながら説明する。
【００５０】
図８は、管理センタサーバ２の動作のフローチャートである。まず、管理センタサーバ２は、予約端末１から送信されたユーザＩＤ、入金予定金額、利用希望時刻、所在地のデータを入金機予約情報として受信し、記憶する（Ｓ２０１）。制御部１１は、記憶した入金機予約情報から利用可能な入金機を決定する（Ｓ２０２）。
【００５１】
制御部１１は、予約端末１に利用可能な入金機４のデータを送信する（Ｓ２０３）。入金者は、予約端末１が受信した利用可能な入金機データから利用を希望する入金機４を選択し、管理センタサーバ２に送信する。管理センタサーバ２は、入金者が選択した利用を希望する入金機のデータを受信し、利用する入金機４を決定する（Ｓ２０４）。
【００５２】
制御部１１は、ユーザＩＤ、入金予定金額、利用希望時刻、利用希望入金機のデータ及び照合情報を予約端末１に送信する（Ｓ２０６）。さらに、制御部１１は、ユーザＩＤ、入金予定金額、利用希望時刻のデータ及び照合情報を利用希望入金機に送信する（Ｓ２０７）。
【００５３】
次に、入金機４について、図９を参照しながら説明する。
【００５４】
図９は、入金機４の構成を示すブロック図である。
図９に示すように、入金機４は、通信インタフェース３１、制御部３４、表示部２１、入力操作部２２、入金部１５、開閉制御部１９、予約情報記憶部２０を備えている。
【００５５】
入金部１５は、紙幣入金部１７及び硬貨入金部１８、入金された現金を計数する計数部１６を有している。入力操作部２２は、入金機ブース５に備えられた照合情報入力機６である。開閉制御部１９は、入金機４からケーブル等の有線で接続された入金機ブース５の出入口扉を制御する。表示部２１は、照合情報入力機６に備えられ、予約されていない旨や、照合情報不一致の旨を表示する。予約情報記憶部２０は、管理センタサーバ２から送信されたユーザＩＤ、入金予定金額、利用希望時刻のデータ及び照合情報を記憶する。
【００５６】
まず、管理センタサーバ２から送信されたユーザＩＤ、入金予定金額、利用希望時刻のデータ及び照合情報は、通信インタフェース３１を介して、予約情報記憶部２０に記憶される。
【００５７】
入金者は、照合情報の出力結果を持参して、利用を希望する入金機ブース５に移動する。そこで、入金者は入金者ブース５に備えられた入力操作部２２を操作する。具体的には、パスワード等の出力結果を、照合情報入力機６に入力する。
【００５８】
制御部３４は、入力された照合情報と、予約情報記憶部２０に記憶された照合情報とが一致するか否かを判断する。一致した場合、制御部３４は、開閉制御部１９に入金機ブース５の開扉許可の情報を送信し、開閉制御部１９が、入金機ブース５の出入口扉を開扉する。一方で、入力された照合情報と、予約情報記憶部２０に記憶された照合情報とが一致しなかった場合、制御部３４は、表示部２１に照合情報不一致の旨等を表示させる。なお、制御部３４は、図示しないＣＰＵ(Central Processing Unit)あるいはＲＡＭ(Randam Access Memory)、ＲＯＭ(Read Only Memory)を備え、この制御部３４に格納されたプログラムを実行することにより、入金機の各部を統括的に制御する。
【００５９】
入金機ブース５の出入口扉が開き、入金者が入室すると、入金部１５に紙幣や硬貨を入金する。入金部１５で計数された金額と、予約情報記憶部２０に記憶されている入金予定金額とを比較し、概ね入金予定金額と等しい場合、入金が可能となる。
【００６０】
さらに、入金機４の動作について、図１０を参照しながら詳細に説明する。
【００６１】
図１０は、入金機４の動作を示すフローチャートである。
入金機４は、管理センタサーバ２からユーザＩＤ、入金予定金額、利用希望時刻のデータ及び照合情報を有する入金機予約情報を受信し、記憶する（Ｓ３０１）。次に、開閉制御部１９は、受信した利用希望時刻、照合情報を基に、入金機ブース５の出入口扉を制御する（Ｓ３０２）。即ち、入金者が利用希望時刻に現れない場合や誤った照合情報を入力した場合に、出入口扉が開かないように制御する。
【００６２】
入金者は、予め指定された照合情報を基に、入金機ブース５の照合情報入力機６を入力する（Ｓ３０３）。制御部３４は、入金者が照合情報入力機６に入力した時刻及び入力された照合情報を基に、入金者が利用を希望する入金者であるか否かを判定する（Ｓ３０４）。
【００６３】
入金者が利用を希望する入金者であると判断された場合（Ｓ３０４：ＹＥＳ）、即ち、入金者が照合情報入力機６に対し入力操作を行った時刻が、入金機予約情報として記憶されている利用希望時刻の範囲内であり、かつ、入金者が照合情報入力機６に入力した照合情報が、入金機予約情報として記憶されている照合情報と一致した場合、入金機ブース５の出入口扉が開く（Ｓ３０５）。
【００６４】
入金者が利用を希望する入金者であると判断されない場合（Ｓ３０４：ＮＯ）、即ち、入金者が照合情報入力機６に対し入力操作を行った時刻が、入金機予約情報として記憶されている利用希望時刻の範囲外である、または、入金者が照合情報入力機６に入力した照合情報が、入金機予約情報として記憶されている照合情報と一致しない場合、入金機ブース５の出入口扉は開かない。
【００６５】
上述したとおり、本発明の入金機予約システムは、予約端末１を入金機４の予約を行うためだけの専用端末として使用したが、携帯型パソコン、携帯電話、ＰＤＡ、ウェアラブルコンピュータ等の携帯端末を使用することが可能である。
【００６６】
本発明の入金機予約システムの他の実施形態として、予約端末１を携帯電話として利用した場合を、図１１を参照しながら説明する。
【００６７】
図１１は、図１で示す入金機予約システムの予約端末を、基地局及び携帯電話に差し替えた入金機予約システムの概念図である。
図１１で示すように、本発明に係る入金機予約システムは、携帯電話２３、基地局２４、管理センタサーバ２、複数の入金機ブース５を有している。さらに、複数の入金機ブース５の中には、それぞれ入金機４−１から４−３が設置されており、入金機４−１から４−３は、ケーブル等の有線８で入金機ブースに接続されている。そして、入金機４−１から４−３は、入金機ブース５の出入口扉を開閉を制御する。また、基地局２４、管理センタサーバ２、入金機４−１から４−３は、電話線等の有線８で通信ネットワーク３を介して接続されている。携帯電話２３と基地局２４とは、電波等で無線通信を行う。
【００６８】
入金者は、携帯電話２３を使用し、ユーザＩＤ、入金予定金額、利用希望時刻を入力する。入力されたユーザＩＤ、入金予定金額、利用希望時刻は、携帯電話２３に記憶される。さらに、携帯電話２３は、ＧＰＳ（Grobal Positioning System：全地球測位システム）等の位置情報システムを使用して、所在地情報を記憶する。
【００６９】
携帯電話２３に記憶されたユーザＩＤ、入金予定金額、利用希望時刻、所在地のデータは、基地局２４に送信される。基地局２４は、携帯電話２３から送信されたユーザＩＤ、入金予定金額、利用希望時刻、所在地のデータを通信ネットワーク３を介して管理センタサーバ２に送信する。
【００７０】
管理センタサーバ２は、上述の図４から図７を参照して説明した動作を行い、利用可能な入金機４−１から４−３を決定し、携帯電話２３に送信する。
【００７１】
入金者は、携帯電話２３に送信された利用可能な入金機４を選択し、利用希望入金機データとして管理センタサーバ２に送信する。
【００７２】
管理センタサーバ２は、携帯電話２３から送信された、入金者が利用を希望する入金機４のデータを受信し、バーコード、赤外線、音声データ等の照合情報を設定する。設定された照合情報、ユーザＩＤ、入金予定金額、利用希望時刻、利用希望入金機を、管理センタサーバ２は、携帯電話２３に送信する。
更に、管理センタサーバ２は、利用希望入金機までの道順を示した地図情報を携帯電話２３に送信して、携帯電話２３の画面に表示するようにしてもよい。
【００７３】
図１２は、携帯電話２３を使用して、入金機ブース５を開扉する説明図である。
【００７４】
図１２（ａ）は、携帯電話２３に送信された照合情報がバーコードの場合の説明図である。図１２（ａ）に示すように、入金者は、携帯電話２３の表示部２３ａに表示されたバーコードを入金機ブース５に備えられたバーコードリーダ２５に読み取らせる。
【００７５】
図１２（ｂ）は、携帯電話２３に送信された照合情報が赤外線の場合の説明図である。図１２（ｂ）に示すように、入金者は、携帯電話２３の転送部２３ｂから転送される赤外線を入金機ブース５に備えられた赤外線受信部２６に読み取らせる。
【００７６】
図１２（ｃ）は、携帯電話２３に送信された照合情報が音声データの場合の説明図である。図１２（ｃ）に示すように、入金者は、携帯電話２３の音声通知部３３から通知される音声を入金機ブース５に備えられた音声受信部２７に聞き取らせる。
【００７７】
上述したように、入金者は、携帯電話２３を使用して入金機ブース５の出入口扉を開けることができる。出入口扉が開扉されると、入金者は入室し、入金機４に現金を入金する。
【産業上の利用可能性】
【００７８】
本発明の入金機予約システムにより、入金者は、入金機の現金カセットが満杯となっていない入金機を予約でき、指定した時間に売上金を預け入れることが可能となる。そのため、入金者は入金機ブースの前で入金するために並ぶ必要がなく、強盗に襲われる可能性も回避できるため産業上利用価値が高い。
【図面の簡単な説明】
【００７９】
【図１】図１は、本発明に係る入金機予約システムを示す概念図である。
【図２】図２は、予約端末の表示画面を示す図である。図２（ａ）は、入金機予約システムを起動する際に表示される入力画面の図である。図２（ｂ）は、入金予定金額及び利用希望時刻を入力する入力画面の図である。図２（ｃ）は、管理センタサーバから送信された利用可能な入金機が表示され、それに基づき入金者が予約を行う予約画面の図である。図２（ｄ）は、入金者が予約した内容を確認できる確認画面の図である。
【図３】図３は、入金者の予約端末操作を示すフローチャートである。
【図４】図４は、管理センタサーバの構成を示すブロック図である。
【図５】図５は、利用者情報記憶部で使用するテーブルの構成図である。
【図６】図６は、現金収容状況記憶部で使用するテーブルの構成図である。
【図７】図７は、入金機情報記憶部で使用するテーブルの構成図である。
【図８】図８は、管理センタサーバの動作のフローチャートである。
【図９】図９は、入金機の構成を示すブロック図である。
【図１０】図１０は、入金機の動作を示すフローチャートである。
【図１１】図１１は、本発明に係る入金機予約システムを示す他の概念図である。
【図１２】図１２は、携帯電話を使用して、入金機ブースを開扉する説明図である。図１２（ａ）は、携帯電話に送信された照合情報がバーコードの場合の説明図である。図１２（ｂ）は、携帯電話に送信された照合情報が赤外線の場合の説明図である。図１２（ｃ）は、携帯電話に送信された照合情報が音声データの場合の説明図である。
【図１３】図１３は、入金機及び現金収容部の構成を示す構成図である。図１３（ａ）は、入金機の構造を模式的に示す斜視図である。図１３（ｂ）は現金収容部の内部を示す正面図である。
【符号の説明】
【００８０】
１  予約端末
２  管理センタサーバ
３  通信ネットワーク
４、４−１、４−２、４−３  入金機
５  入金機ブース
６  照合情報入力機
７  表示部
８  有線
９、３１  通信インタフェース
１０  利用者情報記憶部
１１、３４  制御部
１２  入金機管理部
１３  現金収容状況記憶部
１４  入金機情報記憶部
１５  入金部
１６  計数部
１７  紙幣入金部
１８  硬貨入金部
１９  開閉制御部
２０  予約情報記憶部
２１  表示部
２２  入力操作部
２３  携帯電話
２３ａ  表示部
２３ｂ  転送部
２３ｃ  入力部
２４  基地局
２５  バーコードリーダ
２６  赤外線受信部
２７  音声受信部
２８  入力操作部
２９  現金収容部（現金カセット）
３０  紙幣
３２  入金機制御部
３３  音声通知部
【図１】
2006059269.tif 000003
【図２】
2006059269.tif 000004
【図３】
2006059269.tif 000005
【図４】
2006059269.tif 000006
【図５】
2006059269.tif 000007
【図６】
2006059269.tif 000008
【図７】
2006059269.tif 000009
【図８】
2006059269.tif 000010
【図９】
2006059269.tif 000011
【図１０】
2006059269.tif 000012
【図１１】
2006059269.tif 000013
【図１２】
2006059269.tif 000014
【図１３】
2006059269.tif 000015